(57)【要約】【課題】コストを安価に抑えつつ電池カバーの強度アップを図る。【解決手段】電池２０を収容した携帯端末装置１０において、軸受け部２１及び軸２２を介して一端を装置本体１１に回動可能に連結された電池カバー１８と、この電池カバー１８に設けられ、装置本体１１側と嵌合して軸受け部２１及び軸２２を補強する補強リブ３０とを備えている。【選択図】図４
2012079485.tif 000002
【特許請求の範囲】
【請求項１】
電池を収容した携帯端末装置において、
連結部を介して一端を装置本体に回動可能に連結された電池カバーと、
該電池カバーに設けられ、装置本体側と嵌合して前記連結部を補強する補強部材と、を備えた
ことを特徴とする携帯端末装置。
【請求項２】
前記電池カバーと前記補強部材とを同一材料かつ一体に形成した
ことを特徴とする請求項１に記載の携帯端末装置。
【請求項３】
前記連結部は軸受け部と軸とを有し、
前記軸受け部と前記補強部材とを前記電池カバーに設け、前記軸を装置本体に設けた
ことを特徴とする請求項１に記載の携帯端末装置。
【請求項４】
前記連結部は軸受け部と軸とを有し、
前記軸と前記補強部材とを前記電池カバーに設け、前記軸受け部を装置本体に設けた
ことを特徴とする請求項１に記載の携帯端末装置。
【発明の詳細な説明】
【技術分野】
【０００１】
本発明は、ガス、水道、電力量等の使用量を示す積算メータの値を定期的に検針する際等に用いられ、電池室を塞ぐ電池カバーを有する携帯端末装置に関する。
【背景技術】
【０００２】
近年、特にＨＨＴ（Ｈａｎｄ  Ｈｅｌｄ  Ｔｅｒｍｉｎａｌ）などの業務用に使用される持ち運び用の携帯端末装置の場合、例えばスキャナー装置等の使用により電力の消費量が多くなっているため、定期的に充電池の交換が必要である。
【０００３】
このため、使用頻度の高いユーザーは、内蔵電池として、大容量の電池を使用することが多くなっているが、それでも電池容量が不足した場合、予備電池を携帯していて、電池を交換することもしばしばである。
【０００４】
しかし、図１に示すように、例えば、大容量の電池を内蔵した装置本体を不慮に落下させた場合、落下時の衝撃により、一端を装置本体に回動可能に連結された電池カバー１１８に覆われた電池（図示せず）が上方（外方）に押しあがり、電池カバー１１８の軸受け部１２１や、装置本体側の軸１２２に電池の荷重が加わる。こうして、軸受け部１２１と軸１２２の一方又は双方が破損するというおそれがあった。
【０００５】
これに対し、回動可能に連結された電池カバー１１８の連結部の構造を強固にした場合、現状の金型を用いてモールド成形することが困難となる。また、連結部に金属等を用いて強度を高めようとすると、部品点数が増加したり取付作業が増大して、高価になってしまう。
【０００６】
一方、従来技術として、例えば特許文献１には、電池カバーの左右端に凸部、その中間に段付き爪を設け、これらの凸部及び段付き爪がケース本体に夫々嵌合する凹部及び係合孔を設け、電池カバーをボス部と段付き爪による回動形式でケース本体に開閉可能に取り付けた技術が開示されている。
【０００７】
また、特許文献２には、電池カバーに設けたカバー側爪、及び電子機器を構成する下外ケースに設けたケース側爪、に対して両爪を嵌合する方向に付勢する弾性バネ片を設け、下外ケースと電池カバーとを簡単には外れないようにした技術が開示されている。
【先行技術文献】
【特許文献】
【０００８】
【特許文献１】特開平８−１３８６４１号公報
【特許文献２】特開２００７−２０１０９７号公報
【発明の概要】
【発明が解決しようとする課題】
【０００９】
しかしながら、特許文献１及び特許文献２のいずれにも、電池カバーのケース本体との連結部を補強するための部材は設けられていない。このため、例えば装置本体を不慮に落下等させた場合には、落下時の衝撃等により電池カバーの連結部が破損するおそれがあった。
【００１０】
本発明は、斯かる課題を解決するためになされたもので、低コストで電池カバーの強度アップを図ることができる携帯端末装置を提供することを目的とする。
【課題を解決するための手段】
【００１１】
本発明は、電池を収容した携帯端末装置において、
連結部を介して一端を装置本体に回動可能に連結された電池カバーと、
該電池カバーに設けられ、装置本体側と嵌合して前記連結部を補強する補強部材と、を備えたことを特徴とする。
【００１２】
本発明の電池カバーは連結部を介して開閉する回動式のカバーであり、電池カバーに設けられた補強部材が装置本体側に嵌合する構成を有していて、例えば誤って装置本体を落下等させた場合にも、補強部材が落下時の衝撃力を受けて連結部に加わる応力を緩和し、連結部の破損を防止する。
【発明の効果】
【００１３】
本発明によれば、低コストで電池カバーの強度アップを図ることができる。こうして、電池カバーの破損を防止することができる。
【図面の簡単な説明】
【００１４】
【図１】従来の携帯端末装置の電池カバーの外観図である。
【図２】携帯端末装置を表面側から見た外観図である。
【図３】携帯端末装置を裏面側から見た外観図である。
【図４】本実施の形態の電池カバーの外観図である。
【図５】本実施の形態の電池カバーを開放したときの携帯端末装置を裏面側から見た外観図である。
【図６】図３のＣ−Ｃ断面図である。
【図７】図４のＡ−Ａ断面図である。
【図８】図３のＤ−Ｄ断面図である。
【図９】図４のＢ−Ｂ断面図である。
【発明を実施するための形態】
【００１５】
以下、図面に基づき本発明の実施の形態を説明する。
図２は、携帯端末装置（ＨＨＴ）を表面側から見た外観図であり、図３は、携帯端末装置を裏面側から見た外観図である。
【００１６】
ＨＨＴ等の携帯端末装置は、例えば、ガス、水道、電力量等の検針時に携帯されて、公共料金情報や商品販売情報を記憶したり、そのデータを用紙に印刷可能な装置として公知である。
【００１７】
この携帯端末装置１０は、図２に示すように、細長い矩形状の装置本体１１の表面側に、メニュー画面や記憶されたデータを出力する液晶ディスプレー１２、データを操作入力するキーボード１４、カード挿入部１７を有しカード情報を読み取るカード読取部１６を有している。
【００１８】
また、図３に示すように、装置本体１１の裏面側には、電池２０を収容すべく装置本体１１に回動可能に連結された電池カバー１８を有している。
【００１９】
この図３において、電池カバー１８は、左右（幅方向）一対の連結部１９，１９を介して装置本体１１に回動可能に連結されている。この電池カバー１８は、装置本体１１側のロックレバー２８を図３の左右方向に操作することによって、装置本体１１に対しロック又はロック解除される。なお、電池２０は、装置本体１１を駆動する駆動源となっている。
連結部１９は、軸受け部２１と軸２２とを有し、本実施の形態では、この軸２２に軸受け部２１が回動可能に嵌合されている。
【００２０】
図４は、電池カバー１８を正面側（表面側）から見たときの外観図である。なお、図４のＸ−Ｘ方向を幅方向、Ｙ−Ｙ方向を縦方向と呼んで説明を容易にする。
図４に示すように、電池カバー１８は、縦方向の一端側（図４の下方側）に形成された一対の連結部１９、１９（ここでは軸受け部２１、２１）と、この一対の連結部１９、１９の幅方向の中間に設けられて連結部１９を補強する補強リブ（補強部材）３０と、縦方向の先端側（図４の上方側）及び幅方向の両端側に設けられた３個の台座３２，３３，３３と、幅方向の両端側において縦方向に滑らかに突出された開閉用の取手３４，３６と、を有している。
【００２１】
本実施の形態では、補強リブ３０は幅方向に延在され、電池カバー１８と同一材料（樹脂）かつ一体に形成されて、装置本体１１側と適度に嵌合している。このように、電池カバー１８と補強リブ３０とが同一材料であることから、例えば金型を用いて、補強リブ３０を有する電池カバー１８を精度良く大量に製造することができる。これに対し、例えば補強リブ３０を電池カバー１８と別材料で構成したとすると、成形作業も煩雑となり、製造コストも増大してしまう。
【００２２】
また、連結部１９の軸受け部２１は、切り欠き円筒状をなし、円周方向の一部に切り欠き２１ａが設けられている。本実施の形態では、この軸受け部２１に回動可能に嵌合する軸２２（図３及び図６参照）は、装置本体１１から幅方向の内側に向けて突出するように形成されている。なお、軸受け部２１に形成された切り欠き２１ａについては後述する。
【００２３】
また、３個の台座３２，３３，３３は、装置本体１１を、電池カバー１８が下になるように置いたときに、該電池カバー１８を支持する役目をなしている。また、開閉用の取手３４，３６は、装置本体１１を片手で持った状態においても、これらを指で押し開けることで電池カバー１８を容易に開閉することができる。
【００２４】
また、本実施の形態では、軸受け部２１と補強リブ３０とを電池カバー１８に設け、軸２２を装置本体１１に設けた場合について説明するが、これに限らない。例えば、軸２２と補強リブ３０を電池カバー１８に設け、軸受け部２１を装置本体１１に設けるような構成としてもよい。
【００２５】
図５は、電池カバー１８を開放（矢印Ｅ方向）したときの携帯端末装置１０を裏面側から見た外観図である。
図５に示すように、電池２０を覆う電池カバー１８は、装置本体１１に対し軸２２（図３及び図６参照）を中心として回動して開閉される。また、電池カバー１８の縦方向（図５のＹ方向）の先端側には、その内面側に断面略Ｌ字状のロック受け２４，２４が設けられている。さらに、このロック受け２４，２４に対応する装置本体１１側には、ロック爪２６、２６が設けられている。
【００２６】
このロック爪２６は、ロックレバー２８の操作によって幅方向（図５のＸ方向）に移動するようになっている。こうして、電池カバー１８が装置本体１１側に閉じられると、ロックレバー２８の操作によりロック爪２６が移動してロック受け２４に嵌合される。このため、この嵌合状態では、電池カバー１８が装置本体１１から不用意に外れることはない。
【００２７】
次に、図６は、図３のＣ−Ｃ断面図、図７は、図４のＡ−Ａ断面図である。また、図８は、図３のＤ−Ｄ断面図、図９は、図４のＢ−Ｂ断面図である。
図６及び図７に示すように、電池カバー１８の内面側には、複数（４個）のリブ部５２、５３，５４、５５が設けられている。これらのリブ部５２〜５５は、電池カバー１８の剛性を高めるとともに、特に内側のリブ部５３，５４にあっては、収容された電池２０（図６参照）に当接して該電池２０のガタツキを防止している。
【００２８】
また、電池カバー１８の縦方向（図７のＹ方向）の一端側（図７の下方側）のリブ部５２から、軸受け部２１が一体に突設されている。前述したように、この軸受け部２１は切り欠き円筒状をなして、円周方向の一部に切り欠き２１ａが設けられている。
【００２９】
この軸受け部２１は、図５及び図６に示すように、装置本体１１から幅方向（図４のＸ方向）の内側に突出された軸２２、２２に回動可能に嵌合されている。
なお、電池カバー１８を開放したときには、該電池カバー１８は装置本体１１のストッパ部３８（図６参照）に当接して、それ以上の回動が規制される。そして、電池カバー１８にさらなる圧力を作用させて該電池カバー１８を回動しようとすると、軸受け部２１には過大な負荷が加わる。
【００３０】
しかし、この場合にも、軸受け部２１の周囲に形成された切り欠き２１ａにより、軸受け部２１は軸２２から外れる。これにより、電池カバー１８を開放した時の不用意な操作による連結部１９（例えば軸受け部２１）の破損を防止することができる。
【００３１】
さらに、本実施の形態では、図８及び図９に示すように、電池カバー１８の縦方向（図９のＹ方向）の一端側（図９の下方側）のリブ部５２から、補強リブ３０が一体に突設されている。この補強リブ３０は、傾斜凸部４２と矩形凸部４４とを有している。また、傾斜凸部４２と矩形凸部４４との間には、三角形状の隙間４１が形成されている。
【００３２】
一方、図８において、装置本体１１の裏面内側には、Ｚ方向の一方（図８の下方側）に傾斜して突出する傾斜凸部４６と、この傾斜凸部４６の下方にて穿設された凹部４８とを有している。
【００３３】
そして、電池カバー１８を装置本体１１に装着した状態では、この凹部４８に補強リブ３０の矩形凸部４４が嵌合し、かつ傾斜凸部４６が補強リブ３０の三角形状の隙間４１に嵌合している。この場合、装置本体１１の凹部４８と補強リブ３０の矩形凸部４４とは接触面４７で互いに接触している。さらに、この装置本体１１の凹部４８と補強リブ３０の矩形凸部４４とは、電池カバー１８の開閉時に軸受け部２１が軸２２を中心として回動するときは、接触面４７で接触を保つようになっている。
【００３４】
このため、例えば装置本体１１を誤って落下等させた場合には、一般にその衝撃により内部の電池２０が外方に押し上げられ、連結部１９（軸受け部２１と軸２２）に過大な負荷が加わることになる。しかし、この場合にも、本実施の形態では、その衝撃力を連結部１９と接触面４７とで受けることができ、連結部１９に加えられる負荷が小さくなる。
【００３５】
すなわち、本実施の形態によれば、誤って装置本体１１を落下等させて過大な衝撃力が加わった場合にも、連結部１９に加わる負荷の一部を、補強リブ３０と連結部１９とで受けることができる。このため、連結部１９に加わる力は小さくなって電池カバー１８の破損を防止することができる。
【００３６】
この場合、本実施の形態によれば、新たな部品（例えば金属製の）を追加することなく連結部１９の補強を図ることができる。このため、製造コストを増加することなく、電池カバー１８の連結部１９の破損を防止することができる。また、本実施の形態によれば、補強リブ３０を追加するだけで電池カバー１８の破損を防止することができるので、ユーザーの費用負担を軽減することができる。
【符号の説明】
【００３７】
１０    携帯端末装置
１１    装置本体
１２    液晶ディスプレー
１４    キーボード
１６    カード読取部
１７    カード挿入部
１８    電池カバー
１９    連結部
２０    電池
２１    軸受け部
２１ａ  切り欠き
２２    軸
２４    ロック受け
２６    ロック爪
２８    ロックレバー
３０    補強リブ
３２    台座
３３    台座
３４    取手
３６    取手
３８    ストッパ部
４１    隙間
４２    傾斜凸部
４４    矩形凸部
４６    傾斜凸部
４７    接触面
４８    凹部
５２    リブ部
５３    リブ部
５４    リブ部
５５    リブ部
１１８  電池カバー
１２１  軸受け部
１２２  軸
【図１】
2012079485.tif 000003
【図２】
2012079485.tif 000004
【図３】
2012079485.tif 000005
【図４】
2012079485.tif 000006
【図５】
2012079485.tif 000007
【図６】
2012079485.tif 000008
【図７】
2012079485.tif 000009
【図８】
2012079485.tif 000010
【図９】
2012079485.tif 000011